(57)【要約】  ワイヤ送りローラとワイヤ回収ローラとの間にワイヤを張架して走行させるワイヤ走行装置であって、ワイヤ送りローラ及びワイヤ回収ローラのエンコーダからのワイヤ送りローラ位置ＦＢ値（７１）及びワイヤ回収ローラ位置ＦＢ値（８１）の変化量を基に、ワイヤ送りローラ及びワイヤ回収ローラの各々の周速を算出するワイヤ送りローラ周速算出部（９１ａ）、ワイヤ回収ローラ周速算出部（９１ｂ）と、ワイヤ送りローラの周速とワイヤ回収ローラの周速との差を周速差として算出し、算出した周速差を保持する周速差保持部（９３）と、ワイヤの走行速度を変更する際に、ワイヤ送りローラ及びワイヤ回収ローラの各々を、他方と周速の差がワイヤ走行速度変更前の周速差となるように生成されたワイヤ送りローラ速度指令値及びワイヤ回収ローラ速度指令値で制御するワイヤ送りローラ速度制御部（９５）及びワイヤ回収ローラ速度制御部（９８）とを備える。
2013114547.tif 000002
【特許請求の範囲】
【請求項１】
ワイヤ送りローラとワイヤ回収ローラとの間にワイヤを張架して走行させるワイヤ走行装置であって、
前記ワイヤ送りローラ及び前記ワイヤ回収ローラからのフィードバック情報を基に、前記ワイヤ送りローラの周速及び前記ワイヤ回収ローラの各々の周速を算出する周速算出部と、
前記ワイヤ送りローラの周速と前記ワイヤ回収ローラの周速との差を周速差として算出し、算出した前記周速差を保持する周速差保持部と、
前記ワイヤの走行速度を変更する際に、前記ワイヤ送りローラ及び前記ワイヤ回収ローラの一方との差分が前記周速差となるように他方の速度指令値を生成し、生成した各速度指令値を前記ワイヤ送りローラ及び前記ワイヤ回収ローラの各々に出力する速度指令生成部とを備えることを特徴とするワイヤ走行装置。
【請求項２】
前記ワイヤ送りローラ及び前記ワイヤ回収ローラの径についての情報を保持するローラ情報記憶部と、
前記ワイヤ送りローラからの前記フィードバック情報として前記ワイヤ送りローラの回転量を測定する第１のエンコーダと、
前記ワイヤ回収ローラからの前記フィードバック情報として前記ワイヤ回収ローラの回転量を測定する第２のエンコーダとを備え、
前記周速算出部は、前記ローラ情報記憶部に記憶された前記ワイヤ送りローラの径の情報と、前記第１のエンコーダから入力される回転量とに基づいて、前記ワイヤ送りローラの周速を算出し、前記ローラ情報記憶部に記憶された前記ワイヤ回収ローラの径の情報と、前記第２のエンコーダから入力される回転量とに基づいて、前記ワイヤ回収ローラの周速を算出することを特徴とする請求項１に記載のワイヤ走行装置。
【発明の詳細な説明】
【技術分野】
【０００１】
本発明は、ワイヤ放電加工機のワイヤ走行装置に関する。
【背景技術】
【０００２】
ワイヤ放電加工機では、ワイヤ送りローラとワイヤ回収ローラとの間にワイヤを張架して走行させている。【０００３】
ワイヤ走行中は、ワイヤ送りローラとワイヤ回収ローラの間に設置されたガイドローラの摩擦力により、ワイヤ回収ローラ付近の張力がワイヤ送りローラ付近の張力より大きく、ワイヤの伸び量が大きいため、一般的にワイヤ回収ローラの周速の方がワイヤ送りローラの周速よりも速くなる。【０００４】
従来は、各ローラの回転速度指令によりワイヤ走行中に加減速処理を行う時、独立した制御性能が異なる制御系で加減速処理を行っていたため、加減速処理中の各ローラの速度差は加減速処理を行う直前の回転速度差とは異なる。【０００５】
ワイヤ送りローラの周速よりもワイヤ回収ローラの周速が速く、その差が大きくなり、ある値を超えるとワイヤは断線する。逆に、ワイヤ送りローラの周速がワイヤ回収ローラの周速よりも速くなるとワイヤは撓んでしまう。【０００６】
このため、従来のワイヤ放電加工機のワイヤ走行装置では、細線ワイヤを用いて高速に自動結線する場合、ワイヤの加減速処理中にワイヤ断線やワイヤ撓みが発生する頻度が高かった。したがって、細線ワイヤの自動結線ではワイヤ送り速度を低くする必要があった。【０００７】
特許文献１には、各ローラの回転速度を検出し、ワイヤの張力を一定に保つ技術が開示されている。
【先行技術文献】
【特許文献】
【０００８】
【特許文献１】特開平０６−２１８６２８号公報
【発明の概要】
【発明が解決しようとする課題】
【０００９】
しかしながら、上記従来の技術によれば、ワイヤ径やワイヤ材質と設定張力とからワイヤ回収ローラとワイヤ送りローラの回転速度差を事前に計算する。そのため、ワイヤ径やワイヤ材質によって予め設定値を決める必要があり、設定が煩雑になることや、ワイヤ径やワイヤ材質のばらつきがある場合にワイヤ断線や撓みが生じるという問題があった。【００１０】
本発明は、上記に鑑みてなされたものであって、ワイヤの走行速度を変化させる際に、ワイヤの断線や弛みの発生を防止できるワイヤ走行装置を得ることを目的とする。
【課題を解決するための手段】
【００１１】
上述した課題を解決し、目的を達成するために、本発明は、ワイヤ送りローラとワイヤ回収ローラとの間にワイヤを張架して走行させるワイヤ走行装置であって、ワイヤ送りローラ及びワイヤ回収ローラからのフィードバック情報を基に、ワイヤ送りローラの周速及びワイヤ回収ローラの各々の周速を算出する周速算出部と、ワイヤ送りローラの周速とワイヤ回収ローラの周速との差を周速差として算出し、算出した周速差を保持する周速差保持部と、ワイヤの走行速度を変更する際に、ワイヤ送りローラ及びワイヤ回収ローラの一方との差分が周速差となるように他方の速度指令値を生成し、生成した各速度指令値をワイヤ送りローラ及びワイヤ回収ローラの各々に出力する速度指令生成部とを備えることを特徴とする。
【発明の効果】
【００１２】
本発明にかかるワイヤ走行装置は、ワイヤの走行速度を変化させる際にワイヤ送りローラとワイヤ回収ローラの周速差を一定に保ち、ワイヤの断線や弛みの発生を防止できるという効果を奏する。
【図面の簡単な説明】
【００１３】
【図１】図１は、本発明にかかるワイヤ走行装置の実施の形態の構成を示す図である。
【図２】図２は、ワイヤ走行系制御装置の構成を示す図である。
【図３】図３は、ワイヤ自動挿入時のワイヤ走行装置の動作の流れを示すフローチャートである。
【図４】図４は、ワイヤ自動結線時のワイヤ送りローラ及びワイヤ回収ローラの周速並びに速度指令値の関係の一例を示す図である。
【図５】図５は、通常のワイヤ走行時のワイヤ走行装置の動作の流れを示すフローチャートである。
【図６】図６は、ワイヤ走行時のワイヤ送りローラ及びワイヤ回収ローラの周速並びに速度指令値の関係の一例を示す図である。
【発明を実施するための形態】
【００１４】
以下に、本発明にかかるワイヤ走行装置の実施の形態を図面に基づいて詳細に説明する。なお、この実施の形態によりこの発明が限定されるものではない。
【００１５】
実施の形態．
図１は、本発明にかかるワイヤ走行装置の実施の形態の構成を示す図である。実施の形態にかかるワイヤ走行装置は、ボビン１、ガイドローラ２、３、５、ワイヤ送りローラ４ａ、送りピンチローラ４ｂ、ワイヤ回収ローラ６ａ、回収ピンチローラ６ｂ、エンコーダ７、８及びワイヤ走行系制御装置９を備える。
【００１６】
ボビン１は、ワイヤが巻き付けられており、ここからワイヤ１０が供給される。ワイヤ送りローラ４ａは、送りピンチローラ４ｂとの間にワイヤ１０を挟み込んでボビン１から引き出す。ワイヤ回収ローラ６ａは、回収ピンチローラ６ｂとの間にワイヤ１０を挟み込んで不図示の回収箱へ送り込む。ガイドローラ２、３、５は、ワイヤ１０の走行経路を定める。第１のエンコーダとしてのエンコーダ７は、ワイヤ送りローラ４ａの回転量をパルス数（ワイヤ送りローラ位置フィードバック（ＦＢ）値７１）として検出し、フィードバック情報としてワイヤ走行系制御装置９へ出力する。第２のエンコーダとしてのエンコーダ８は、ワイヤ回収ローラ６ａの回転量をパルス数（ワイヤ回収ローラ位置フィードバック（ＦＢ）値８１）として検出し、フィードバック情報としてワイヤ走行系制御装置９へ出力する。
【００１７】
図２は、ワイヤ走行系制御装置９の構成を示す図である。ワイヤ走行系制御装置９は、ワイヤ送りローラ周速算出部９１ａ、ワイヤ回収ローラ周速算出部９１ｂ、ローラ情報記憶部９２、周速差保持部９３、トルク・速度指令生成部９４、ワイヤ送りローラ速度制御部９５、ワイヤ送りローラ制御切替器９６、ワイヤ送りローラトルク制御部９７、ワイヤ回収ローラ速度制御部９８及びワイヤ回収ローラトルク制御部９９を有する。
【００１８】
ワイヤ送りローラ周速算出部９１ａは、ローラ情報記憶部９２に格納されているワイヤ送りローラ４ａの情報と、エンコーダ７からフィードバック情報として入力されるワイヤ送りローラ４ａの回転量の単位時間当たりの変化量からワイヤ送りローラ４ａの回転速度を算出し、さらにワイヤ送りローラ４ａの回転速度を基にワイヤ送りローラ４ａの周速を算出する。同様に、ワイヤ回収ローラ周速算出部９１ｂは、ローラ情報記憶部９２に格納されているワイヤ回収ローラ６ａの情報と、エンコーダ８からフィードバック情報として入力されるワイヤ回収ローラ６ａの回転量の単位時間当たりの変化量からワイヤ回収ローラ６ａの回転速度を算出し、さらにワイヤ回収ローラ６ａの回転速度を基にワイヤ回収ローラ６ａの周速を算出する。ローラ情報記憶部９２は、ワイヤ送りローラ４ａ、ワイヤ回収ローラ６ａの各々の直径又は半径や各々のエンコーダ７、８の１周のパルス数についての情報を格納する。周速差保持部９３は、ワイヤ送りローラ周速算出部９１ａ、ワイヤ回収ローラ周速算出部９１ｂから入力されるワイヤ送りローラ４ａ、ワイヤ回収ローラ６ａの周速を基に、周速差を算出して保持する。
【００１９】
トルク・速度指令生成部９４は、不図示の加工制御装置からワイヤの走行、停止、加速、減速等の指令を受け取り、ワイヤ送りローラ４ａのトルク指令や速度指令、ワイヤ回収ローラ６ａの速度指令を生成する。ワイヤ送りローラ速度制御部９５は、トルク・速度指令生成部９４からワイヤ送りローラ速度指令を受け取り、ワイヤ送りローラ周速算出部９１ａからワイヤ送りローラ速度ＦＢがワイヤ送りローラ速度指令に一致するようにワイヤ送りローラトルク指令を生成する。ワイヤ送りローラ制御切替器９６は、不図示の加工制御装置からワイヤ送りローラの制御方式切り替え信号を受け取り、速度制御方式の場合は速度指令生成部９５から出力されるワイヤ送りローラトルク指令を、また、張力制御方式の場合はワイヤ送りローラ速度制御部９５出力されるワイヤ送りローラトルク指令を選択して出力する。ワイヤ送りローラトルク制御部９７は、ワイヤ送りローラ制御切替器９６から受け取った指令通りのトルクをワイヤ送りローラが出すようにワイヤ送りローラ電流４１を制御する。
【００２０】
ワイヤ回収ローラ速度制御部９８は、トルク・速度指令生成部９４からワイヤ回収ローラ速度指令を受け取り、ワイヤ回収ローラ周速算出部９１ｂからワイヤ回収ローラ速度ＦＢがワイヤ回収ローラ速度指令に一致するようにワイヤ回収ローラトルク指令を生成する。ワイヤ回収ローラトルク制御部９９は、ワイヤ回収ローラ速度制御部９６から受け取った指令通りのトルクをワイヤ回収ローラが出すようにワイヤ回収ローラ電流６１を制御する。
【００２１】
ワイヤ走行系制御装置９は、ＮＣプログラムの実行や使用者の操作によりワイヤ放電加工装置における加工動作を制御する不図示の加工制御装置からワイヤの走行、停止、加速、減速等の指令が入力されるようになっており、入力された指令に応じてワイヤ１０の走行速度を変化させる。
【００２２】
なお、エンコーダ７、８の代わりにタコメータを用いて回転速度を検出するようにし、検出した回転速度をワイヤ走行系制御装置９（ワイヤ送りローラ周速算出部９１ａ、ワイヤ回収ローラ周速算出部９１ｂ）へ入力しても良い。
【００２３】
実施の形態にかかるワイヤ走行装置は、ワイヤ１０の走行中にワイヤ走行速度を加減速する際に、その直前のワイヤ送りローラとワイヤ回収ローラの周速差を維持するように速度を変化させる。具体的には、実際に加減速を行う際に、検出したワイヤ送りローラ４ａとワイヤ回収ローラ６ａとの周速差及び現在のワイヤ回収ローラ速度指令値を基に、ワイヤ送りローラ速度指令値を生成する。これを加減速処理が完了するまで継続することで、加減速処理を行う前の安定した回転速度差を常時維持する。以下、このような制御についてフローチャートに基づいて説明する。
【００２４】
図３は、ワイヤ自動挿入時のワイヤ走行装置の動作の流れを示すフローチャートである。まず、ボビン１から引き出したワイヤ１０をワイヤ送りローラ４ａと送りピンチローラ４ｂとに挟んだ状態で、ワイヤ送りローラ４ａとワイヤ回収ローラ６ａとを回転させる（ステップＳ１０１）。ワイヤ回収ローラ６ａと回収ピンチローラ６ｂとがワイヤ１０を挟み込んだことを検出し、不図示の加工制御装置からワイヤ１０の停止指令が入力されたら（ステップＳ１０２／Ｙｅｓ）、周速差保持部９３は、ワイヤ送りローラ周速算出部９１ａで算出されたワイヤ送りローラ４ａの周速とワイヤ回収ローラ周速算出部９１ｂで算出されたワイヤ回収ローラ６ａの周速との差を算出し、算出した値を保持する（ステップＳ１０３）。ワイヤ回収ローラ６ａと回収ピンチローラ６ｂとがワイヤ１０を挟んでおらず、不図示の加工制御装置からワイヤ１０の停止指令が入力されていない場合は（ステップＳ１０２／Ｎｏ）、引き続き、ワイヤ送りローラ４ａを回転させながらワイヤ１０を送るとともに、ワイヤ回収ローラ６ａを回転させる。
【００２５】
トルク・速度指令生成部９４は、予め設定した割合で減少するワイヤ回収ローラ速度指令値を生成し（ステップＳ１０４））、さらにワイヤ回収ローラ速度指令値との差がステップＳ１０３で算出した値となるようにワイヤ送りローラ速度指令値を生成する（ステップＳ１０５）。なお、ワイヤ送りローラの速度指令が負になる場合は（ステップＳ１０６／Ｎｏ）、ワイヤ送りローラの回転速度指令を０（ゼロ）とする（ステップＳ１０７）。
【００２６】
ワイヤ送りローラ４ａ、ワイヤ回収ローラ６ａの各々の回転速度は、ワイヤ走行系制御装置９から出力されるワイヤ送りローラ速度指令値及びワイヤ回収ローラ速度指令値に応じて変化する。ワイヤ送りローラ４ａ、ワイヤ回収ローラ６ａの回転速度がゼロとなり、トルク・速度指令生成部９４が算出するワイヤ送りローラ４ａ及びワイヤ回収ローラ６ａの周速がゼロになった（停止した）ならば（ステップＳ１０８／Ｙｅｓ）、処理を終了する。ワイヤ送りローラ４ａ、ワイヤ回収ローラ６ａが停止していない場合は（ステップＳ１０８／Ｎｏ）、ステップＳ１０４に戻って、トルク・速度指令生成部９５がワイヤ送りローラ速度指令値及びワイヤ回収ローラ速度指令値を生成し、ワイヤ送りローラ４ａ、ワイヤ回収ローラ６ａへ出力して回転速度を変化させる。
【００２７】
自動結線動作時にワイヤ回収ローラ６ａと回収ピンチローラ６ｂとがワイヤ１０を挟みこんだ後、ワイヤ送りローラ４ａ及びワイヤ回収ローラ６ａを停止させるために減速処理を行うが、直前の周速差を維持しつつ減速することで、減速処理中の周速差を維持でき、ワイヤ１０の断線を防止できる。また、減速処理中にワイヤ送りローラ４ａの周速の方がワイヤ回収ローラ６ａの周速よりも速くなってワイヤ１０が撓むことを防止できる。
【００２８】
図４は、ワイヤ自動結線時のワイヤ送りローラ及びワイヤ回収ローラの周速並びに速度指令値の関係の一例を示す図である。なお、速度指令値については回転速度に対応する周速に変換した上で図示している。ワイヤ送りローラ４ａによって送られるワイヤ１０が時刻ｔ１においてワイヤ回収ローラ６ａと回収ピンチローラ６ｂとに挟みこまれる。これにより、ワイヤ送りローラ４ａの周速は速くなり、反対にワイヤ回収ローラ６ａの周速は遅くなり、時刻ｔ２において定常状態となる。この時の周速差はＶ１である。
【００２９】
時刻ｔ３において、不図示の加工制御装置から走行系制御装置９に停止命令が入力される。この時トルク・速度指令生成部９４が生成するワイヤ送りローラ速度指令値は、ワイヤ回収ローラ速度指令値よりもＶ１低い値である。
【００３０】
時刻ｔ３から時刻ｔ４にかけて、トルク・速度指令生成部９４は、ワイヤ回収ローラ速度指令値との差がＶ１となるようにワイヤ送りローラ速度指令値を生成する。
【００３１】
時刻ｔ４において、ワイヤ送りローラ速度指令値がゼロとなる。これ以降は、ワイヤ回収ローラ速度指令値から周速差Ｖ１を引いた値は負の値となるが、トルク・速度指令生成部９４は、値をゼロとしてワイヤ送りローラ速度指令値を生成する。
【００３２】
時刻ｔ５において、ワイヤ回収ローラ速度指令値がゼロとなり、時刻ｔ６においてワイヤ回収ローラ６ａの回転速度がゼロとなってワイヤ１０の自動結線動作が完了する。
【００３３】
図５は、通常のワイヤ走行時のワイヤ走行装置の動作の流れを示すフローチャートである。指定した速度指令値でワイヤ送りローラ４ａ、ワイヤ回収ローラ６ａを回転させてワイヤ１０を走行させる（ステップＳ２０１）。この時は、ワイヤ送りローラ４ａの回転速度は、ワイヤ１０の張力が所定値となるようにワイヤ送りローラ４ａのトルクが一定となるように制御される。ワイヤ走行系制御装置９が不図示の加工制御装置から停止指令を受けた場合（ステップＳ２０２／Ｙｅｓ）、ステップＳ２０３〜Ｓ２０８の処理は、図３のステップＳ１０３〜Ｓ１０８での処理と同様である。
【００３４】
ワイヤ走行制御装置９が不図示の加工制御装置から停止指令ではなく（ステップＳ２０２／Ｎｏ）、ワイヤ送り速度変更指令を受けた場合（ステップＳ２０９／Ｙｅｓ）、ステップＳ１０３と同様に、周速差保持部９３は、ワイヤ送りローラ４ａの周速とワイヤ回収ローラ６ａの周速との差を算出し、保持する（ステップＳ２１０）。
【００３５】
トルク・速度指令生成部９４は、ワイヤ回収ローラ速度指令値を生成し、さらにワイヤ回収ローラ速度指令値との差がステップＳ２０７で算出した値となるようにワイヤ送りローラ速度指令値を生成する。トルク・速度指令生成部９４は、生成したワイヤ送りローラ速度指令値及びワイヤ回収ローラ速度指令値をワイヤ送りローラ４ａ、ワイヤ回収ローラ６ａの各々の速度制御部９５、９８に出力する（ステップＳ２１１）。
【００３６】
ワイヤ送りローラ４ａ、ワイヤ回収ローラ６ａの各々の回転速度は、ワイヤ走行系制御装置９から入力されたワイヤ送りローラ速度指令値及びワイヤ回収ローラ速度指令値に応じて変化する。ワイヤ送りローラ速度指令値及びワイヤ回収ローラ速度指令値が所定値となったならば（ステップＳ２１２／Ｙｅｓ）、ステップＳ２０２へ戻り、ワイヤ送りローラ４ａの制御方式を張力制御に切り替える。ワイヤ送りローラ速度指令値及びワイヤ回収ローラ速度指令値の値が所定値になっていない場合は（ステップＳ２１２／Ｎｏ）、ステップＳ２１１に戻って、トルク・速度指令生成部９４は速度制御によりワイヤ送りローラ速度指令値を生成し、ワイヤ送りローラ４ａ、ワイヤ回収ローラ６ａの各々へワイヤ送りローラ速度指令値及びワイヤ回収ローラ速度指令値を出力して回転速度を変化させる。
【００３７】
自動結線動作時と同様に、通常のワイヤ走行時においても、ワイヤ１０がより強い張力で引っ張られてワイヤ断線することや、ワイヤ送りローラ４ａの周速の方がワイヤ回収ローラ６ａの周速よりも速くなってワイヤ１０が撓むことを防止できる。
【００３８】
図６は、ワイヤ走行時のワイヤ送りローラ及びワイヤ回収ローラの周速並びに速度指令値の関係の一例を示す図である。なお、速度指令値については回転速度に対応する周速に変換した上で図示している。図６においては、ワイヤ送りローラ４ａの制御方式が張力制御である場合はワイヤ送りローラ速度指令値の図示を省略している。時刻ｔ７よりも前ではワイヤ送りローラ４ａは張力制御されており、ワイヤ１０は安定走行している。この時の周速差はＶ１である。
【００３９】
時刻ｔ７において、不図示の加工制御装置からワイヤ走行系制御装置９に減速命令が入力される。ワイヤ走行系制御装置９は、減速命令に応じてワイヤ送りローラ４ａの制御方式を張力制御から速度制御に切り替える。この時トルク・速度指令生成部９４が生成するワイヤ送りローラ速度指令値は、ワイヤ回収ローラ速度指令値よりもＶ１低い値である。
【００４０】
時刻ｔ７から時刻ｔ８にかけて、トルク・速度指令生成部９４は、ワイヤ回収ローラ速度指令値との差がＶ１となるようにワイヤ送りローラ速度指令値を生成し、ワイヤ送りローラ４ａ、ワイヤ回収ローラ６ａの各々に、ワイヤ送りローラ速度指令値及びワイヤ回収ローラ速度指令値を出力する。
【００４１】
時刻ｔ８において、ワイヤ送りローラ速度指令値が減速後の指定速度に到達する。ワイヤ走行系制御装置９は、ワイヤ送りローラ４ａの制御方式を張力制御に切り替える。これ以降は、ワイヤ送りローラ４ａは張力制御される。時刻ｔ９において、ワイヤ送りローラ４ａ及びワイヤ回収ローラ６ａの周速の変化が止まり、ワイヤ１０は安定走行する。この時の周速差はＶ２である。
【００４２】
時刻ｔ１０において、不図示の加工制御装置からワイヤ走行系制御装置９に加速命令が入力される。ワイヤ走行系制御装置９は、加速命令に応じてワイヤ送りローラ４ａの制御方式を張力制御から速度制御に切り替える。この時トルク・速度指令生成部９４が生成するワイヤ送りローラ速度指令値は、ワイヤ回収ローラ速度指令値よりもＶ２小さい値である。
【００４３】
時刻ｔ１０から時刻ｔ１１にかけて、トルク・速度指令生成部９４は、ワイヤ回収ローラ速度指令値との差がＶ２となるようにワイヤ送りローラ速度指令値を生成し、ワイヤ送りローラ４ａ、ワイヤ回収ローラ６ａの各々の速度制御部に、ワイヤ送りローラ速度指令値及びワイヤ回収ローラ速度指令値を出力する。
【００４４】
時刻ｔ１１において、ワイヤ送りローラ速度指令値が加速後の指定速度に到達する。ワイヤ走行系制御装置９は、ワイヤ送りローラ４ａの制御方式を張力制御に切り替える。これ以降は、ワイヤ送りローラ４ａは張力制御される。時刻ｔ１２において、ワイヤ送りローラ４ａ及びワイヤ回収ローラ６ａの周速の変化が止まり、ワイヤ１０は安定走行する。
【００４５】
本実施の形態によれば、ワイヤ送りローラ４ａとワイヤ回収ローラ６ａとの周速の差のばらつきを抑制できるため、ワイヤ１０の断線や撓みを防止することができる。特に、ワイヤ１０として細線ワイヤを用いる場合に自動結線を高速化するのに有効である。また、結線完了後の通常のワイヤ走行時においても、走行速度を変更する際にワイヤ１０の断線や撓みを防止できる。上記の効果は、ワイヤ１０の径や材質によらずに得ることができ、パラメータの調整等の作業も不要である。
【００４６】
なお、上記の説明においては、ワイヤ回収ローラ速度指令値を基にワイヤ送りローラ速度指令値を生成する場合を例としたが、ワイヤ送りローラ速度指令値を基にワイヤ回収ローラ速度指令値を生成して周速差を維持することも可能である。
【００４７】
上記の例では、ワイヤ走行系制御装置９は、不図示の加工制御装置からの指令に応じてワイヤの走行速度を変化させる場合を例としたが、自動結線時にはワイヤ回収ローラ６ａと回収ピンチローラ６ｂとにワイヤ１０が挟みこまれたことを周速の変化等に基づいて検知し、自動的にワイヤ１０の走行停止動作を行わせることも可能である。
【産業上の利用可能性】
【００４８】
以上のように、本発明にかかるワイヤ走行装置は、φ０．１ｍｍ以下の細線ワイヤを使用する場合に有用であり、特に、細線ワイヤの自動結線に適している。
【符号の説明】
【００４９】
１  ボビン
２、３、５  ガイドローラ
４ａ  ワイヤ送りローラ
４ｂ  送りピンチローラ
６ａ  ワイヤ回収ローラ
６ｂ  回収ピンチローラ
７、８  エンコーダ
９  ワイヤ走行系制御装置
１０  ワイヤ
４１  ワイヤ送りローラ電流
６１  ワイヤ回収ローラ電流
７１  ワイヤ送りローラ位置ＦＢ値
８１  ワイヤ回収ローラ位置ＦＢ値
９１ａ  ワイヤ送りローラ周速算出部
９１ｂ  ワイヤ回収ローラ周速算出部
９２  ローラ情報記憶部
９３  周速差保持部
９４  トルク・速度指令生成部
９５  ワイヤ送りローラ速度制御部
９６  ワイヤ送りローラ制御切替器
９７  ワイヤ送りローラトルク制御部
９８  ワイヤ回収ローラ速度制御部
９９  ワイヤ回収ローラトルク制御部
【図１】
2013114547.tif 000003
【図２】
2013114547.tif 000004
【図３】
2013114547.tif 000005
【図４】
2013114547.tif 000006
【図５】
2013114547.tif 000007
【図６】
2013114547.tif 000008
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
ワイヤ送りローラとワイヤ回収ローラとの間にワイヤを張架して走行させ、前記ワイヤの走行速度を変更する際に、前記ワイヤ送りローラ及び前記ワイヤ回収ローラの一方との差分が前記ワイヤ送りローラの周速と前記ワイヤ回収ローラの周速との周速差となるように他方の速度指令値を生成し、生成した各速度指令値を前記ワイヤ送りローラ及び前記ワイヤ回収ローラの各々に出力する速度指令生成部とを備えたワイヤ走行装置であって、
前記ワイヤ送りローラ及び前記ワイヤ回収ローラからのフィードバック情報を基に、前記ワイヤ送りローラの周速及び前記ワイヤ回収ローラの各々の周速を算出する周速算出部と、
前記周速差を算出し、算出した前記周速差を保持する周速差保持部とを備え、
前記速度指令生成部は、前記ワイヤの走行速度の変更を開始してから完了するまでの間は、前記ワイヤ送りローラ及び前記ワイヤ回収ローラの一方との差分が前記ワイヤの走行速度の変更を開始する直前に前記周速差保持部に保持した前記周速差となるように他方の速度指令値を生成することを特徴とするワイヤ走行装置。
【請求項２】
前記ワイヤ送りローラ及び前記ワイヤ回収ローラの径についての情報を保持するローラ情報記憶部と、
前記ワイヤ送りローラからの前記フィードバック情報として前記ワイヤ送りローラの回転量を測定する第１のエンコーダと、
前記ワイヤ回収ローラからの前記フィードバック情報として前記ワイヤ回収ローラの回転量を測定する第２のエンコーダとを備え、
前記周速算出部は、前記ローラ情報記憶部に記憶された前記ワイヤ送りローラの径の情報と、前記第１のエンコーダから入力される回転量とに基づいて、前記ワイヤ送りローラの周速を算出し、前記ローラ情報記憶部に記憶された前記ワイヤ回収ローラの径の情報と、前記第２のエンコーダから入力される回転量とに基づいて、前記ワイヤ回収ローラの周速を算出することを特徴とする請求項１に記載のワイヤ走行装置。
【国際調査報告】
2013114547.tif 000009
2013114547.tif 000010